(57)【要約】      （修正有）【課題】充填液体の略全量を使い切ることができ、しかもポンプ吸引管の突刺しセット作業の際の液体漏れを防止できるポンプ吸引管を提供する。【解決手段】可撓性を有する液体容器に充填された液体を吸引・抽出するポンプ手段に用いられ、該ポンプ手段に一端が接続されると共に前記液体容器内に他端が突刺し挿入されることによって該液体容器を内外に通じさせて液体を吸引・注出するポンプ吸液管１が、一端部分が前記ポンプ手段に直接又間接的に接続され、他端部分が前記液体容器内に突刺し挿入されると共に、該ポンプ吸液管の内部を介して前記ポンプ手段と連通する吸液孔１１を有する構成であり、前記他端部分である先端部が、液体通路を有することなく前記液体容器に突き刺し可能に先鋭状に形成された突刺部１２であり、該突刺部より突刺し方向後方部分の側方部分に前記吸液孔が設けられた構成である。【選択図】図１
0003188806.tif 000002
【実用新案登録請求の範囲】
【請求項１】
可撓性を有する液体容器に充填された液体を吸引・抽出するポンプ手段に用いられ、該ポンプ手段に一端が接続されると共に前記液体容器内に他端が突刺し挿入されることによって該液体容器を内外に通じさせて液体を吸引・注出するポンプ吸引管において、
前記ポンプ吸液管が、
一端部分が前記ポンプ手段に直接又間接的に接続され、
他端部分が前記液体容器内に突刺し挿入されると共に、該ポンプ吸液管の内部を介して前記ポンプ手段と連通する吸液孔を有する構成であり、
前記他端部分である先端部が、液体通路を有することなく前記液体容器に突き刺し可能に先鋭状に形成された突刺部であり、
該突刺部より突刺し方向後方部分の側方部分に前記吸液孔が設けられた構成であること、
を特徴とする液体容器のポンプ吸引管。
【請求項２】
前記突刺部が円錐部と該円錐部に連設された円柱部とを有して成る構成であることを特徴とする請求項１に記載の液体容器のポンプ吸引管。
【請求項３】
前記吸液孔が、ポンプ吸引管の側方部分の周方向に複数個が等間隔に設けられた構成であることを特徴とする請求項１又は２に記載の液体容器のポンプ吸引管。
【請求項４】
前記吸液孔が、等間隔に３個設けられた構成であることを特徴とする請求項３に記載の液体容器のポンプ吸引管。
【請求項５】
前記液体容器が、前記ポンプ吸引管が突刺される突刺し箇所の液密性及び気密性を保持可能な膜で構成されていることを特徴とする請求項１〜４のいずれかに記載の液体容器のポンプ吸引管。
【請求項６】
前記突刺し箇所の液密性及び気密性を保持可能な膜が、未延伸ナイロンフィルムとポリオレフィン系樹脂フィルムを含む積層フィルムで構成されていることを特徴とする請求項５に記載の液体容器のポンプ吸引管。
【考案の詳細な説明】
【技術分野】
【０００１】
本考案は液体容器のポンプ吸引管に関し、詳しくは可撓性の液体充填袋・液体充填ボトルに装着されて内容物である液体を吸引・注出するポンプ手段に接続されるポンプ吸引管に関する。
【背景技術】
【０００２】
可撓性を有する液体充填袋や液体充填ボトルから成る液体容器に充填されたシャンプー・コンディショナー・リンス・食器用洗剤等の液体をポンプ手段により吸引・注出する構成の吸引式液体注出ポンプ装置が知られている。かかる装置では、使い始めの際や使い切った後の新たな液体容器に交換した際に、ポンプ手段に接続されたポンプ吸引管を液体容器に突刺すセット作業が行われる。
【０００３】
このセット作業の際、ポンプ吸引管が液体容器の上部又は底部に速やかに且つ確実に突刺すことができるように該ポンプ吸引管の先端部は斜めに先鋭状に形成されている。また、この先端部は開口されることにより吸液孔を兼ねた構成となっている（例えば、特許文献１、２等参照）。
【０００４】
特許文献１、２に記載の吸引管構成によれば、液体容器の上部又は底部に速やかに且つ確実に突刺すことができる。
【０００５】
しかしこれらの技術では、使用開始の時点では液体の吸引・注出を問題なく行うことができるが、液体残量が少なくなりポンプ吸引管の吸引孔に液体充填袋や液体充填ボトルの内壁部が徐々に吸い寄せられた際に、この吸い寄せによって該吸引孔付近での液体の移動スペースが狭小化するため吸引量が減少し注出量が減少してしまったり、更に吸い寄せられることで前記内壁部が吸引孔に密着してしまい該吸引孔が閉塞され、液体の吸引・注出が不可能となってしまうことがあった。吸引・注出途中における吸引孔の閉塞は、液体充填袋や液体充填ボトルに液体が残留してしまい液体の全量を使い切ることができないと言う不都合を有している。
【０００６】
そこで本考案者は、ポンプ吸引管の先端部の吸引孔に加えて、ポンプ吸引管の側方部分に別なる吸引孔を追加付加した技術を先に提案した（特許文献３参照）。
【０００７】
かかる先提案技術によれば、前記した吸い寄せによって吸引管の先端部の吸引孔が閉塞したとしても、側方部分の吸引孔から最後まで液体を吸引・抽出することができるので液体が残留することなく全量を使い切ることができるものとなった。
【先行技術文献】
【特許文献】
【０００８】
【特許文献１】特開２００２−０６８３４５号
【特許文献２】特開２００１−１３０６６２号
【特許文献３】特許第５０９７００４号
【考案の概要】
【考案が解決しようとする課題】
【０００９】
本考案者はかかる技術について更に研究を進めたところ、特許文献３に記載の側方部分に吸引孔を追加付加した技術では、ポンプ吸引管を液体容器へ突刺すセット作業の際に改良すべき点があることを見出した。
【００１０】
ポンプ吸引管の先端部を液体容器に突刺す時は該液体容器の内部に対して圧が加わった状態となるため、ポンプ吸引管の先端部が液体容器の内部に突刺し浸入した直後に先端部の吸引孔から該ポンプ吸引管内に液体が入り込み、この入り込んだ液体が未だ液体容器内に浸入していない側方部分の吸引孔から液体容器外へ漏れ出してしまう場合があることが判った。
【００１１】
これはお年寄り等のように突刺すセット作業の際に慎重に丁寧に行おうとゆっくりと徐々に突刺した場合に特に生じ易いことが判った。
【００１２】
そこで本考案の課題は、充填液体の略全量を使い切ることができ、しかもポンプ吸引管の突刺しセット作業の際の液体漏れを防止できるポンプ吸引管を提供することにある。
【課題を解決するための手段】
【００１３】
上記課題を解決する本考案は、下記構成を有する。
【００１４】
１．可撓性を有する液体容器に充填された液体を吸引・抽出するポンプ手段に用いられ、該ポンプ手段に一端が接続されると共に前記液体容器内に他端が突刺し挿入されることによって該液体容器を内外に通じさせて液体を吸引・注出するポンプ吸引管において、
前記ポンプ吸液管が、
一端部分が前記ポンプ手段に直接又間接的に接続され、
他端部分が前記液体容器内に突刺し挿入されると共に、該ポンプ吸液管の内部を介して前記ポンプ手段と連通する吸液孔を有する構成であり、
前記他端部分である先端部が、液体通路を有することなく前記液体容器に突き刺し可能に先鋭状に形成された突刺部であり、
該突刺部より突刺し方向後方部分の側方部分に前記吸液孔が設けられた構成であること、
を特徴とするポンプ吸引管。
【００１５】
２．前記突刺部が円錐部と該円錐部に連設された円柱部とを有して成る構成であることを特徴とする上記１に記載のポンプ吸引管。
【００１６】
３．前記吸液孔が、ポンプ吸引管の側方部分の周方向に複数個が等間隔に設けられた構成であることを特徴とする上記１又は２に記載の液体容器のポンプ吸引管。
【００１７】
４．前記吸液孔が、等間隔に３個設けられた構成であることを特徴とする上記３に記載の液体容器のポンプ吸引管。
【００１８】
５．前記液体容器が、前記ポンプ吸引管が突刺される突刺し箇所の液密性及び気密性を保持可能な膜で構成されていることを特徴とする上記１〜４のいずれかに記載のポンプ吸引管。
【００１９】
６．前記突き刺し箇所の液密性及び気密性を保持可能な膜が、未延伸ナイロンフィルムとポリオレフィン系樹脂フィルムを含む積層フィルムで構成されていることを特徴とする上記５に記載のポンプ吸引管。
【考案の効果】
【００２０】
請求項１に示す考案によれば、充填液体の略全量を使い切ることができ、しかもポンプ吸引管の突刺しセット作業の際の液体漏れを防止できるポンプ吸引管を提供することができる。
【００２１】
特に、ポンプ吸引管の先端部に吸引孔が無く突刺し機能に特化しているので、該先端部が液体容器の内部に突刺し浸入した直後は液体がポンプ吸引管内に入り込むことは無く、側方部分の吸引孔の部分が液体容器の内部に浸入した時点で液体がポンプ吸引管内に入り込むことになる。したがって、お年寄り等が突刺すセット作業の際に慎重に丁寧に行おうとゆっくりと徐々に突刺した場合であっても液体が漏れることなく確実にポンプ吸引管を液体容器に突刺すことができる。
【００２２】
請求項２に示す考案によれば、ポンプ吸引管の先端部の突刺しによって穿かれる液体容器の突刺し孔部分が円形状に形成されるので裂けや破れが生じ難い。
【００２３】
請求項３に示す考案によれば、液体容器内の液体残量が残り少なくなり、液体容器の内壁部が複数個のいずれかの吸引孔に吸い寄せられたとしても残りの吸引孔からの吸引が確保されるので該吸引孔が完全に閉塞されてしまうことを抑制することができる。
【００２４】
請求項４に示す考案によれば、吸引孔が形成された部分でのポンプ吸引管の側方部分の強度維持と、充填液体の吸引効率と、を兼ね備えた構成とすることができる。特に、液体残量が残り少なくなり液体容器の両側の内壁部が吸引孔に吸い寄せられてポンプ吸引管の側方部分に密着した場合であっても、等間隔に設けられた３個の吸引管の少なくとも１個は閉塞することなく開放状態を維持することができるので、液体の吸引が阻害されることなく確実に吸引・注出することができる。
【００２５】
請求項５に示す考案によれば、吸引・注出の開始から液体の全量使い切りに至るまで吸引管と突刺し部分の液密性及び気密性を確実に保持することができる。
【００２６】
請求項６に示す考案によれば、ポンプ吸引管と突刺し部分の液密性及び気密性をより確実に保持することができる。
【図面の簡単な説明】
【００２７】
【図１】本考案に係るポンプ吸引管の一実施例を示す５面図（正面図、平面図、底面図、背面図、右側面図）
【図２】図１に示すポンプ吸引管のＡ−Ａ線端面図
【図３】図１に示すポンプ吸引管のＢ−Ｂ線断面図
【図４】図１に示すポンプ吸引管のＢ−Ｂ線端面図
【図５】図１に示すポンプ吸引管のＣ−Ｃ線断面図
【図６】本考案のポンプ吸引管を用いた吸引式液体注出ポンプ装置の一例を示す概略構成図
【考案を実施するための形態】
【００２８】
以下、本考案に係るポンプ吸引管について図面に基づき説明する。
【００２９】
本考案は、シャンプー、コンディショナー、トリートメント、その他の頭髪用品をはじめ、化粧液、歯磨き、液体洗剤、液体石鹸、ソース、マヨネーズ、食用油、機械油、その他の各種液体（ゲル状或いはゼリー状等の高粘度液体を含む）が充填された可撓性を有する液体容器（図６の符号２に示す。）から前記液体を吸引・抽出して使うことのできる吸引式液体注出ポンプ装置（図６の符号３に示す。）に用いられるものであり、該吸引式液体注出ポンプ装置のポンプ手段（図６の符号４に示す。）に一端が接続されると共に前記液体容器内に他端が突刺し挿入されることによって該液体容器を内外に通じさせて液体を吸引・注出するポンプ吸引管１であり、
図１〜図４に示すように、ポンプ吸液管１は、
一端部分１Ａが前記ポンプ手段４に直接又間接的（本実施例では間接的）に接続され、
他端部分１Ｂが前記液体容器２内に突刺し挿入されると共に、該ポンプ吸液管１の内部を介して前記ポンプ手段４と連通する吸液孔１１を有する構成であり、
前記他端部分１Ｂである先端部が、液体通路を有することなく前記液体容器２に突き刺し可能に先鋭状に形成された突刺部１２であり、
該突刺部１２より突刺し方向後方部分の側方部分１Ｃに前記吸液孔１１が設けられた構成であること、
を主構成とする。
【００３０】
本考案のポンプ吸引管の各構成について更に詳説する。
【００３１】
ポンプ吸引管１は、前述したようにポンプ手段４に接続されるものであり、一端部分１Ａがポンプ手段４のポンプ動作部分に接続される。この接続構成としては、ポンプ動作部分に下方から嵌挿や螺合等により接続される間接的な接続構成や、ポンプ手段４のポンプ動作部分の下方構成自体がポンプ吸引管１として形成された直接的な接続構成等を挙げることができる。また、ポンプ吸引管１は、この種のポンプ吸引管として公知公用のものと同様に合成樹脂製で形成されている。
【００３２】
吸液孔１１は、ポンプ吸引管１の側方部分１Ｃの周方向に複数個が等間隔に設けられた構成であることが好ましく、より好ましくは本実施例に示すように等間隔に３個設けられた構成である。かかる構成によれば、吸引孔１１が形成された部分でのポンプ吸引管１の側方部分１Ｃの強度維持と、充填液体の吸引効率と、を兼ね備えた構成とすることができる。特に、液体残量が残り少なくなり液体容器２の両側の内壁部が吸引孔に吸い寄せられてポンプ吸引管１の側方部分１Ｃに密着した場合であっても、等間隔に設けられた３個の吸引管１１の少なくとも１個は閉塞することなく開放状態を維持することができるので、液体の吸引が阻害されることなく確実に吸引・注出することができる。尚、吸液孔１１が設けられた部分のポンプ吸引管１の内部には、本実施例では補強用隔壁部１３が設けられている。該補強用隔壁部１３は、ポンプ吸引管１の補強構造となるだけでなく、吸引孔１１から吸引されて入り込んだ液体の流れをポンプ手段４方向へ導く作用も果たす。尚また、ポンプ吸引管１の内部は本実施例では図２に示すように単管構成であるが、内部にポンプ手段４に連通する内筒を設けた二重管構成としてもよい。
【００３３】
本考案では本実施例に示すように、突刺部１２が円錐部１２Ａと該円錐部１２Ａに連設された円柱部１２Ｂとを有して成る構成であることが好ましい。
【００３４】
次に、本考案のポンプ吸引管１が適用される吸引式液体注出ポンプ装置３の一例について説明する。
【００３５】
吸引式液体注出ポンプ装置３は、図６に示すように、液体容器２と、該液体容器２を収容すると共にポンプ手段４が取り付けられた装置本体５と、を有して成る。更に、装置本体５は、液体容器２の収容部である本体内装部５Ａと、上部にポンプ手段４が取り付けられると共に前記本体内装部５Ａに対して上方から装着合体される本体外装部５Ｂと、から成る。
【００３６】
液体容器２としては、液体容器２内の液体を吸引・注出するに従って該液体容器２内の負圧化に伴って収縮（縮小）していく可撓性を有する液体充填袋や軟質合成樹脂製の液体充填ボトルであって液体の吸引注出方法・ポンプ装置に用いられる公知公用の液体容器を特別の制限無く用いることができる。
【００３７】
液体容器２が本実施例に示すような可撓性を有する袋体である場合、該袋体に本考案のポンプ吸引管１を突刺すことで内外に通じさせて液体の吸引・注出を行う構成であり、ポンプ吸引管１が突刺される突刺し箇所の液密性及び気密性を保持可能な膜で構成されたものであることが好ましい。
【００３８】
前記突刺し箇所の液密性及び気密性を保持可能な膜としては、未延伸ナイロンフィルムとポリオレフィン系樹脂フィルムを含む積層フィルムで構成されたものを挙げることができる。
【００３９】
また、液体容器２としては、上記した袋体構成のものに限らず、軟質合成樹脂製のボトル容器とすることもできる。液体容器２がボトル容器の場合であっても、該液体容器２内の液体の吸引・注出に際しては、内部負圧化に伴って軟質合成樹脂製のボトル容器は収縮する構成となっていることは勿論である。
【００４０】
ポンプ手段４としては、この種のポンプ式のポンプ装置に用いられる公知公用のポンプを特別の制限なく用いることができ、上部の押下部を押込操作することでポンプ動作部内のピストン・シリンダ内を通って液体容器２内の液体をポンプ吸引管１を介して吸引し、抽出口（吐出口）から注出（吐出）することができる。尚、ポンプ手段４のポンプ構成については、この種の液体取出装置に用いられる一般的なポンプ構成であるため、本明細書ではポンプ手段４のポンプ機構についての説明は省略する。
【００４１】
以上、本考案に係るポンプ吸引管について実施例に基づき説明したが、本考案は上記実施例に限定されず、本考案の範囲内において他の態様を採ることもできる。
【００４２】
例えば、突刺部１２の形状は、上記実施例の円錐部１２Ａ及び円柱部１２Ｂから成る構成に限定されず、円柱部１２Ｂの部分が無く円錐部１２Ａのみから成る構成や、円錐部１２Ａ及び円錐部１２Ｂに代えて、多角錐部と該多角錐部に連設された多角柱部とを有して成る構成とすることもできる。
【００４３】
また、吸引孔１１の形状は、上記実施例の長方形に限らず、菱形であってもよいし、他の多角形であってもよいし、円や長円であってもよい。
【符号の説明】
【００４４】
１  ポンプ吸引管
１Ａ  一端部分
１Ｂ  他端部分
１Ｃ  側方部分
１１  吸引孔
１２  突刺部
１２Ａ  円錐部
１２Ｂ  円柱部
１３  補強用隔壁部
２  液体容器
３  吸引式液体注出ポンプ装置
４  ポンプ手段
５  装置本体
５Ａ  本体内装部
５Ｂ  本体外装部
【図１】
0003188806.tif 000003
【図２】
0003188806.tif 000004
【図３】
0003188806.tif 000005
【図４】
0003188806.tif 000006
【図５】
0003188806.tif 000007
【図６】
0003188806.tif 000008